(57)【要約】【課題】発信手段は常に信号発信するための電源が必要であり、この電源として電池を必要とするので、常に電源の有無を気にしないようにすること。【解決手段】貴重品４に取り付けた電子タグ３からの信号が携帯電話１に届く距離では、電子タグ３が付けられた貴重品４は携帯電話１の近くに有り、電子タグ３からの信号が携帯電話１に届かない距離では、電子タグ３が付けられた貴重品４は携帯電話１から遠く離れ、紛失したと判断し報知手段８により報知する。【選択図】　図１
2004086411.tif 000002
【特許請求の範囲】
【請求項１】
貴重品に取り付けて、携帯電話の電波を受信し前記携帯電話へ電波を送信する電子タグと、前記電子タグからの電波を前記携帯電話が受信しなくなると報知する報知手段とからなる紛失防止装置。
【請求項２】
電子タグの送信手段から送出される信号をコード化するコード化手段を有してなる請求項１に記載の紛失防止装置。
【請求項３】
複数の電子タグと、携帯電話は、前記複数の電子タグを識別する電子タグ識別手段を有してなる請求項１に記載の紛失防止装置。
【請求項４】
電子タグから送信する信号に名をつける名付与手段を有してなる請求項３に記載の紛失防止装置。
【請求項５】
紛失を検知した場合、携帯電話から、インターネットに紛失情報を流すインターネット接続手段を有してなる請求項１に記載の紛失防止装置。
【発明の詳細な説明】
【０００１】
【発明の属する技術分野】
本発明は、物を無くしたときに報知する紛失防止装置に関するものである。
【０００２】
【従来の技術】
従来、この種の紛失防止装置としては、例えば、無線の発信手段を貴重品に付け、受信手段を手持ちにしているようなものがあった。図６は、従来の紛失防止装置を示すものである。
【０００３】
図６において、２１は貴重品、２２は貴重品に取り付ける発信手段、２３は発信手段の信号を受信する受信手段である。
【０００４】
上記構成において、その動作を説明する。受信手段２３は本人が身につけておく。貴重品２１に取り付けられた発信手段２２は常に信号を発信し、信号の到達距離内にある時は受信手段２３は貴重品２１が本人近くにあると認識する。発信手段２２を取り付けた貴重品２１が受信手段２３を持つ本人より離れ、発信手段２２の信号が到達距離の外になると、受信手段２３は貴重品２１が本人より離れたと認識して報知手段２４により、報知する。
【０００５】
【発明が解決しようとする課題】
しかしながら、前記従来の構成では、受信手段２３は本人が身につけ、貴重品２１に取り付けられた発信手段２２は常に信号を発信し、信号の到達距離内にある時は、受信手段２３は貴重品２１が本人近くにあると認識し、発信手段２２を取り付けた貴重品２１が、受信手段２３を持つ本人より離れ、発信手段２２の信号が到達距離の外になると、受信手段２３は貴重品２１が本人より離れたと認識して報知手段２４により、報知するので、発信手段２２は常に信号発信するための電源が必要であり、この電源として電池を必要とするので、常に電源の有無を気にしなければならなかった。また、紛失防止装置の受信手段２３をいつも身につける事を気にしなければならないという課題を有していた。
【０００６】
本発明は、前記従来の課題を解決するもので、発信手段の電源の有無を気にする必要もないし、紛失防止のためだけの発信手段をいつも身につける事を気にする必要のない紛失防止装置を提供することを目的とする。
【０００７】
【課題を解決するための手段】
前記従来の課題を解決するために、本発明の紛失防止装置は、貴重品に取り付けて、携帯電話の電波を受信し前記携帯電話へ電波を送信する電子タグと、前記電子タグからの電波を前記携帯電話が受信しなくなると報知する報知手段としたものである。
【０００８】
これによって、電子タグは携帯電話からの電波を受信し、電子タグ内の受信コイルによりに誘起電圧が発生し、この電力により電子タグ内の送信コイルにより電波を発信する。携帯電話は電子タグからの送信電波を受信する。電子タグからの信号が携帯電話に届く距離では、電子タグが付けられた貴重品は携帯電話近くに有り、電子タグからの信号が携帯電話に届かない距離では、電子タグが付けられた貴重品は携帯電話から遠く離れ、紛失したと判断し報知手段により報知する。
【０００９】
【発明の実施の形態】
請求項１に記載の発明は、貴重品に取り付けて、携帯電話の電波を受信し前記携帯電話へ電波を送信する電子タグと、前記電子タグからの電波を前記携帯電話が受信しなくなると報知する報知手段とすることにより、電子タグは携帯電話からの電波を受信し、電子タグ内の受信コイルによりに誘起電圧が発生し、この電力により電子タグ内の送信コイルにより電波を発信する。携帯電話は電子タグからの送信電波を受信する。電子タグからの信号が携帯電話に届く距離では、電子タグが付けられた貴重品は携帯電話近くに有り、電子タグからの信号が携帯電話に届かない距離では、電子タグが付けられた貴重品は携帯電話から遠く離れ、紛失したと判断し報知手段により報知し、発信手段の電源の有無を気にする必要もないし、携帯電話を受信手段にしているので、紛失防止のためだけの発信手段をいつも身につける事を気にする必要がなくなる。
【００１０】
請求項２に記載の発明は、特に、請求項１に記載の電子タグの送信手段から送出される信号をコード化するコード化手段により、アナログ信号でなく、コード化したデジタル信号で送るので、電波信号に乗るノイズに影響されることなく携帯電話へ信号を送信でき、信号がノイズに強くなる。
【００１１】
請求項３に記載の発明は、特に、請求項１に記載の携帯電話は、複数の電子タグを識別する電子タグ識別手段を有すことにより１つの携帯電話で、複数の電子タグを識別でき、貴重品が一つでも紛失するとわかる。
【００１２】
請求項４に記載の発明は、特に、請求項１に記載の電子タグから送信する信号のコードに名をつける名付与手段を有しすることにより、電子タグが付着している貴重品の名前などの情報を、名付与手段により電子タグから送信する信号のコード化して送信するので、携帯電話では、複数の電子タグ一つ一つが付着している貴重品を知る事ができ、複数の貴重品の内何が紛失したかを携帯電話で認識することができる。
【００１３】
請求項５に記載の発明は、特に、請求項１に記載の携帯電話から紛失を検知した場合、インターネットに紛失情報を流すインターネット接続手段を有することにより、紛失した場合、インターネット接続手段により、携帯電話から紛失した貴重品をインターネットに流す事により、市場で、貴重品を使用不可能とすることができる。
【００１４】
【実施例】
以下本発明の実施例について、図面を参照しながら説明する。
【００１５】
（実施例１）
図１は、本発明の第１の実施例における紛失防止装置のブロック図を示すものである。
【００１６】
図１において、１は携帯電話であり、２は携帯電話の発信手段、７は携帯電話の受信手段、８は携帯電話１に接続された報知手段、３は電子タグで、５は電子タグ内の受信コイル、６は電子タグ内の送信コイルで、４は電子タグの取り付けられた貴重品である。
【００１７】
以上のように構成された紛失防止装置について、以下その動作、作用を説明する。まず、携帯電話１から発信手段２により電波が発信される。携帯電話１の近傍にある貴重品４に取り付けられた電子タグ３の受信コイル５により電力が誘起される。その誘起された電力により電子タグ３の送信コイル６から信号を送信する。携帯電話１の受信手段７は、その送信信号を検知する。貴重品４が携帯電話１から離れた場合、電子タグ３の受信コイル５に電力が誘起されず、電子タグ３の送信コイル６から信号が送信されない。このとき、携帯電話１は、貴重品３は紛失したと判断し報知手段８により報知する。
【００１８】
以上のように、本実施例においては、電子タグ３に電源が無くても、貴重品４に付けられた電子タグ３が、携帯電話１から距離が離れることにより、貴重品３の紛失を判断できる。
【００１９】
（実施例２）
図２は、本発明の第２の実施例の紛失防止装置のブロックである。
【００２０】
図２において、９はコード化手段で、送信コイル６に接続され、１０はデコード手段で受信手段７に接続されている。実施例１の構成と異なるところはコード化手段９を設けた点であり、他の構成は第１の実施例と同じなので省略する。
【００２１】
以上のように構成された紛失防止装置について、以下その動作、作用を説明する。まず、携帯電話１から発信手段２により電波が発信される。携帯電話１の近傍にある貴重品４に取り付けられた電子タグ３の受信コイル５により電力が誘起される。その誘起された電力により、コード化手段９は電子タグ３の送信コイル６から信号をコード化して送信する。コード化は、デジタル信号を送出する。携帯電話１の受信手段７は、その送信信号を検知し、デコード手段１０で、デジタル的な判別で解読し、信号の有無を確認する。
【００２２】
以上のように、本実施例においては、電子タグ３の送信コイル６による信号をコード化手段９によりコード化し、報知手段１の受信手段７のデコード手段１０で受信するとき、デコードとすることにより、デジタル的に判別しているので、電子タグからの信号にノイズが乗っても、アナログ的な判別より信号の有無を正しく識別出来る。
【００２３】
（実施例３）
図３は、本発明の第３の実施例の紛失防止装置のブロックである。
【００２４】
図３において、１１は電子タグ識別手段で受信手段７に接続さ、１２は第２の貴重品で、１３は第２の貴重品に取り付けられた第２の電子タグ、１４は第２の電子タグの中にある第２の受信コイル、１５は第２の電子タグの中にある第２の送信コイルである。他の構成は第１の実施例と同じなので省略する。
【００２５】
以上のように構成された紛失防止装置について、以下その動作、作用を説明する。まず、携帯電話１から発信手段２により電波が発信される。携帯電話１の近傍にある貴重品４に取り付けられた電子タグ３の受信コイル５により電力が誘起される。その誘起された電力により電子タグ３の送信コイル６から信号を送信する。同様に、携帯電話１の近傍にある第２の貴重品１２に取り付けられた第２の電子タグ１３の第２の受信コイル１４により電力が誘起される。その誘起された電力により第２の電子タグ１３の第２の送信コイル１５から、電子タグ１３の送信コイル６から送信される異なる周波数の信号を送信する。
【００２６】
携帯電話１の受信手段７の電子タグ識別手段１１は、電子タグ３の送信コイル６から送られる信号と、第２の電子タグ１３の第２の送信コイル１５から送られる信号を検知する。
【００２７】
電子タグ識別手段１１は、周波数の違いにより、送信コイル６と第２の送信コイル１５からの信号を識別して認識する。
【００２８】
貴重品４が携帯電話１から離れた場合、電子タグ３の受信コイル５に電力が誘起されず、電子タグ３の送信コイル６から信号が送信されない。このとき、携帯電話１は、貴重品３は紛失したと判断し報知手段８により報知する。
【００２９】
貴重品１２が携帯電話１から離れた場合、第２の電子タグ１３の第２の受信コイル１４に電力が誘起されず、第２の電子タグ１３の第２の送信コイル１５から信号が送信されない。このとき、携帯電話１は、貴重品１２は紛失したと判断し報知手段８により報知する。
【００３０】
以上のように、本実施例においては、電子タグ３の送信コイル６による送信信号と第２の電子タグ１３の第２の送信コイル１５による信号の周波数を変え、携帯電話１の受信手段７の電子タグ識別手段１１でその周波数を認識することにより、１つの携帯電話で、複数の貴重品が一つでも紛失するとわかる。
【００３１】
なお、第１の電子タグと第２の電子タグとが混信させないようするには周波数を異なえる方法のほかに、おのおのにＩＤを付与してＩＤで識別する方法、送受信の通信タイミングをずらして通信を行う方法などがある。
【００３２】
（実施例４）
図４は、本発明の第４の実施例の紛失防止装置のブロックである。
【００３３】
図４において、１６は送信コイル６から貴重品４の名（例えば財布など）を付与して信号を発信する名付与手段である。１７は第２の送信コイル１５から第２の貴重品１２の名（例えば鞄など）を付与して信号を発信する第２の名付与手段である。実施例３の構成と異なるところは、名付与手段１６と第２の名付与手段１７を設けた点である。他の構成は第３の実施例と同じなので省略する。
【００３４】
以上のように構成された紛失防止装置について、以下その動作、作用を説明する。まず、携帯電話１から発信手段２により電波が発信される。携帯電話１の近傍にある貴重品４に取り付けられた電子タグ３の受信コイル５により電力が誘起される。その誘起された電力により電子タグ３の送信コイル６から名付与手段１６により貴重品４の名の信号を送信する。
【００３５】
同様に、携帯電話１の近傍にある第２の貴重品１２に取り付けられた第２の電子タグ１３の第２の受信コイル１４により電力が誘起される。その誘起された電力により第２の電子タグ１３の第２の送信コイル１５から第２の名付与手段１７により第２の貴重品１２の名の信号を、電子タグ１３の送信コイル６から送信される異なる周波数で送信する。
【００３６】
携帯電話１の受信手段７の電子タグ識別手段１１は、電子タグ３の送信コイル６から送られる信号と、第２の電子タグ１３の第２の送信コイル１５から送られる信号を検知する。
【００３７】
電子タグ識別手段１１は、周波数の違いにより、送信コイル６と第２の送信コイル１５からの信号を識別し、貴重品４と第２の貴重品１２の名を認識する。
【００３８】
貴重品４が携帯電話１から離れた場合、電子タグ３の受信コイル５に電力が誘起されず、電子タグ３の送信コイル６から信号が送信されない。このとき、携帯電話１は、貴重品３は紛失したと判断し報知手段８により報知する。
【００３９】
貴重品１２が携帯電話１から離れた場合、第２の電子タグ１３の第２の受信コイル１４に電力が誘起されず、第２の電子タグ１３の第２の送信コイル１５から信号が送信されない。このとき、携帯電話１は、貴重品１２は紛失したと判断し報知手段８により報知する。
【００４０】
以上のように、本実施例においては、電子タグ３の送信コイル６に名付与手段１６と、第２の電子タグ１の第２の送信コイル１５に第２の名付与手段１７を接続することにより、携帯電話１の受信手段７の電子タグ識別手段１１は、電子タグ３の送信コイル６から送られる信号と、第２の電子タグ１３の第２の送信コイル１５から送られる信号を検知、貴重品４と第２の貴重品１２の名も認識し、複数の貴重品の内、何が紛失したかを携帯電話で認識することができる。
【００４１】
なお図示しないが、名付与手段には記憶部や外部インターフェースを備えており、外部インターフェースを通して名前を付与し記憶部に登録する。また貴重品の名前に限らず整理番号でもよいし、紛失時の連絡先など他の情報を含めてもよい。
【００４２】
（実施例５）
図５は、本発明の第５の実施例の紛失防止装置のブロックである。
【００４３】
図５において、１８は携帯電話１に接続されたインターネット接続手段で、１９はインターネット接続手段１８に接続されたインターネットである。実施例１の構成と異なるところはインターネット接続手段１８とインターネット１９を設けた点である。他の構成は第１の実施例と同じなので省略する。
【００４４】
以上のように構成された紛失防止装置について、以下その動作、作用を説明する。まず、携帯電話１から発信手段２により電波が発信される。携帯電話１の近傍にある貴重品４に取り付けられた電子タグ３の受信コイル５により電力が誘起される。その誘起された電力により電子タグ３の送信コイル６から信号を送信する。携帯電話１の受信手段７は、その送信信号を検知する。貴重品４が携帯電話１から離れた場合、電子タグ３の受信コイル５に電力が誘起されず、電子タグ３の送信コイル６から信号が送信されない。
【００４５】
このとき、携帯電話１は、貴重品３は紛失したと判断し報知手段８により報知する。同時に、貴重品３は紛失した情報はインターネット接続手段１８に送信され、インターネット１９に伝達される。
【００４６】
以上のように、本実施例においては貴重品３の紛失情報はインターネット接続手段１８でインターネット１９に伝達される。例えば、貴重品がクレジットカードの様な物の場合、紛失情報をクレジット会社に伝達することにより、クレジットの使用が停止することが出来、貴重品の紛失を気づかなくても、他社によるクレジットカードの無断使用を禁止できなどの、財産が保全することができる。
【００４７】
なお、携帯電話で説明したがこれに限らず、携帯可能な通信端末装置であればよい。
【００４８】
【発明の効果】
以上のように、本発明によれば、発信手段の電源の有無を気にする必要もないし、携帯電話を受信手段にしているので、紛失防止のためだけの発信手段をいつも身につける事を気にする必要がなくなる。
【図面の簡単な説明】
【図１】本発明の実施例１における紛失防止装置のブロック図
【図２】本発明の実施例２における紛失防止装置のブロック図
【図３】本発明の実施例３における紛失防止装置のブロック図
【図４】本発明の実施例４における紛失防止装置のブロック図
【図５】本発明の実施例５における紛失防止装置のブロック図
【図６】従来の紛失防止装置のブロック図
【符号の説明】
１　携帯電話
２　発信手段
３　電子タグ
４　貴重品
５　受信コイル
６　送信コイル
７　受信手段
８　報知手段
９　コード化手段
１０　デコード手段
１１　電子タグ識別手段
１６　名付与手段
１８　インターネット接続手段
１９　インターネット
【図１】
2004086411.tif 000003
【図２】
2004086411.tif 000004
【図３】
2004086411.tif 000005
【図４】
2004086411.tif 000006
【図５】
2004086411.tif 000007
【図６】
2004086411.tif 000008